(57)【要約】【課題】スリープモードに移行するまでの移行時間に応じた、ウォームアップ毎にトナーが無駄に消費される消費量をユーザに通知することが可能な画像形成装置を提供する。【解決手段】ウォームアップ時に定着部３２と作像部４１とが同時にモータ４２により回転する画像形成装置において、一定期間の印字情報とウォームアップ１回当たりのトナー消費量とをデータ記憶部７２に記憶し、ユーザ操作に応じて操作部７４に入力されるスリープモードに移行するまでの移行時間を取得し、取得されるスリープモードに移行するまでの移行時間、データ記憶部７２に記憶された印字情報とトナー消費量とから導き出される、移行時間に対応する無駄に消費されるトナー消費量を制御部７１により算出し、スリープモードに移行するまでの移行時間と、移行時間に対応する無駄に消費されるトナー消費量とを液晶表示部７５によりユーザに通知する。【選択図】図１
2012088625.tif 000002
【特許請求の範囲】
【請求項１】
ウォームアップ時に定着部と作像部とが同時に回転する画像形成装置において、
一定期間の印字情報とウォームアップ１回当たりのトナー消費量とを記憶する記憶手段と、
操作に応じて入力されるスリープモードに移行するまでの移行時間を取得する取得手段と、
前記取得手段により取得されるスリープモードに移行するまでの移行時間、前記記憶手段に記憶された前記印字情報と前記トナー消費量とから導き出される、前記移行時間に対応する無駄に消費されるトナー消費量を算出する算出手段と、
スリープモードに移行するまでの移行時間と、前記移行時間に対応する無駄に消費されるトナー消費量とを通知する通知手段とを備える、ことを特徴とする画像形成装置。
【請求項２】
前記無駄に消費されるトナー消費量を、前記記憶手段に記憶された印字情報から、そのトナー消費量から印字することができた推定枚数として表示することを特徴とする請求項１に記載の画像形成装置。
【請求項３】
前記記憶手段に記憶される印字情報は、
待機時からのジョブ数、スリープモード時からのジョブ数、ジョブ当たりの平均印字枚数、１枚印字当たりの平均使用トナー消費量、プリンタ電源ＯＮ回数、スリープモード時からジョブを行う際の、前回のジョブからの間隔（時間）の分布、の少なくとも１つであることを特徴とする請求項１に記載の画像形成装置。
【請求項４】
前記記憶手段は、ウォームアップ１回当たりのトナー消費量を、あらかじめ固定値として記憶することを特徴とする請求項１に記載の画像形成装置。
【請求項５】
前記記憶手段は、ウォームアップ時毎の温度を記憶し、
前記算出手段は、前記記憶手段にから読み出したウォームアップ時毎の複数の温度の平均温度からウォームアップ１回当たりのトナー消費量を導き出すことを特徴とする請求項１に記載の画像形成装置。
【請求項６】
前記算出手段により算出される、無駄に消費されるトナー消費量は、
（設定されたスリープ時までの時間移行に行われたジョブ数の積算×ウォームアップ１回当たりのトナー消費量）＋（プリンタ電源ＯＮ回数×ウォームアップ１回当たりのトナー消費量）
により算出することを特徴とする請求項１に記載の画像形成装置。
【発明の詳細な説明】
【技術分野】
【０００１】
本発明は、ウォームアップ時のトナーの無駄な消費量をユーザに通知することが可能な画像形成装置に関する。
【背景技術】
【０００２】
従来、電子写真方式の画像形成装置に用いられる定着ヒータは、大量の電力を必要としており、即座にプリントアウトを可能にするためには、定着器をある一定温度に保つ必要がある。このため、ヒータは短い周期でＯＮ／ＯＦＦを繰り返している。
しかしながら、省エネルギ化の観点からある一定以上の時間、プリントアウト動作を行わないと、機械本体をスリープ状態にさせる機能を持っているプリンタが多い。例えば、１０分間印刷指示がないと、自動的にスリープ状態にさせ、ヒータの消灯、不要電気部品の電源カット、ＣＰＵの省エネルギ状態などへの制御処理が行われる。この状態にあるときに、プリントアウトの指示があると、まず、プリンタは内部の感光体ドラムや転写ベルトと共に、定着ローラを回転させながらヒータをＯＮし、定着器を印字可能な温度にする（以下、ウォームアップと呼ぶ）。その後、要求されるデータを印刷する。
【０００３】
しかし、近年、省エネルギ化の機運が高まり、ＴＥＣ（Typical Electricity Consumption）と呼ばれる、ある期間の見なし消費電力量を示す値を、ある一定以下に抑える指標（規格）の重要度が増してきている。この規格に対応するには消費電力量を抑える必要がある。例えば、印刷動作からスリープ状態へ入るまでの時間を短くすればするほど、ＴＥＣ値は小さくなる。しかしながら、スリープ状態へ入るまでの時間を短くすれば、印刷指示時にスリープモードに入っている可能性が高く、ウォームアップを行う回数も相対的に増えることとなる。
昨今の低コスト電子写真プリンタは、１つのモータで全ての機構部を駆動するような構成を取っているので、ウォームアップ時に定着器内のローラを回転させると作像系も同時に回転することとなる。この構成において、ウォームアップを行うと、ヒータが暖められるのと同時に、一定量のトナーも作像系に供給されるため、トナーの無駄な消費に繋がる。
このため、スリープ状態へ入るまでの時間を短くすれば、無駄に消費されるトナー消費量が逆比例して増加していき、このトナー消費量が印字可能枚数に影響するといった問題があった。
【０００４】
特許文献１には、スリープモードにおいて省電力を図る技術について開示されている。
詳しくは、特許文献１には、ユーザが延長指示ボタンを押下すると、画像形成装置の制御手段は、延長指示ボタンの押下を検出して、新たなモード設定時間の設定処理を実行する。この場合、制御手段は、延長時間データ記憶部から抽出した延長時間を、基本設定時間データ記憶部から取得した基本設定時間に加算して、新たなモード設定時間を算出し、モード設定時間データ記憶部に記録する。その後、スリープモード開始を検知すると、画像形成装置の制御手段は、モード設定時間が延長されている場合には、基本設定時間データ記憶部から抽出した基本設定時間を新たなモード設定時間としてモード設定時間データ記憶部に記録するという技術について開示されている。
この特許文献１では、積極的にスリープモードの時間を長くして、スリープモードにおいて省電力を図っている。
しかしながら、１つのモータを用いて機構部を駆動するようなローエンドプリンタに見られる、ウォームアップ時のトナーの無駄な消費に関しては何ら言及されておらず、スリープモードへの移行時間をより短くする程、メリットのみが増えるという誤解をユーザに与えてしまう恐れがあった。
【発明の概要】
【発明が解決しようとする課題】
【０００５】
そこで、１つのモータを用いて機構部を駆動するようなローエンドプリンタにおいて、「省エネルギ化」と「トナーの無駄な消費」とがトレードオフ（二律背反）の関係にあることをユーザに報知した上で、ユーザにより省エネルギの度合い（トナーの無駄な消費量）を設定させることが切望されている。
本発明は、スリープモードに移行するまでの移行時間に応じた、ウォームアップ毎にトナーが無駄に消費される消費量をユーザに通知することが可能な画像形成装置を提供することを目的とする。
【課題を解決するための手段】
【０００６】
上記課題を解決するために、請求項１記載の発明は、ウォームアップ時に定着部と作像部とが同時に回転する画像形成装置において、一定期間の印字情報とウォームアップ１回当たりのトナー消費量とを記憶する記憶手段と、操作に応じて入力されるスリープモードに移行するまでの移行時間を取得する取得手段と、前記取得手段により取得されるスリープモードに移行するまでの移行時間、前記記憶手段に記憶された前記印字情報と前記トナー消費量とから導き出される、前記移行時間に対応する無駄に消費されるトナー消費量を算出する算出手段と、スリープモードに移行するまでの移行時間と、前記移行時間に対応する無駄に消費されるトナー消費量とを通知する通知手段とを備える、ことを特徴とする。
【０００７】
請求項２記載の発明は、請求項１記載の発明において、前記無駄に消費されるトナー消費量を、前記記憶手段に記憶された印字情報から、そのトナー消費量から印字することができた推定枚数として表示することを特徴とする。
【０００８】
請求項３記載の発明は、請求項１記載の発明において、前記記憶手段に記憶される印字情報は、待機時からのジョブ数、スリープモード時からのジョブ数、ジョブ当たりの平均印字枚数、１枚印字当たりの平均使用トナー消費量、プリンタ電源ＯＮ回数、スリープモード時からジョブを行う際の、前回のジョブからの間隔（時間）の分布、の少なくとも１つであることを特徴とする。
【０００９】
請求項４記載の発明は、請求項１記載の発明において、前記記憶手段は、ウォームアップ１回当たりのトナー消費量を、あらかじめ固定値として記憶することを特徴とする。
【００１０】
請求項５記載の発明は、請求項１記載の発明において、前記記憶手段は、ウォームアップ時毎の温度を記憶し、前記算出手段は、前記記憶手段にから読み出したウォームアップ時毎の複数の温度の平均温度からウォームアップ１回当たりのトナー消費量を導き出すことを特徴とする。
【００１１】
請求項６記載の発明は、請求項１記載の発明において、前記算出手段により算出される、無駄に消費されるトナー消費量は、（設定されたスリープ時までの時間移行に行われたジョブ数の積算×ウォームアップ１回当たりのトナー消費量）＋（プリンタ電源ＯＮ回数×ウォームアップ１回当たりのトナー消費量）により算出することを特徴とする。
【発明の効果】
【００１２】
本発明によれば、スリープモードに移行するまでの移行時間に応じた、ウォームアップ毎にトナーが無駄に消費される消費量をユーザに通知することができる。
【図面の簡単な説明】
【００１３】
【図１】本発明の実施形態に係る画像形成装置の制御対象となる画像形成系として、電子写真に用いる一般的な画像形成装置の構成を示す図である。
【図２】本発明の実施形態に係る画像形成装置の制御対象となる画像形成系として、モノクロレーザプリンタの構成を示す図である。
【図３】本発明の実施の形態に係る画像形成装置の制御系に関するブロック構成を示す図である。
【図４】本発明の実施の形態に係る画像形成装置の特徴的な動作について説明するためのフローチャートである。
【図５】本発明の実施形態に係る画像形成装置の特徴的な動作について説明するためのサブルーチンのフローチャートである。
【発明を実施するための形態】
【００１４】
図１を参照して、本発明の実施形態に係る画像形成装置の制御対象となる画像形成系として、電子写真に用いる一般的な画像形成装置の構成について説明する。
本実施形態の画像形成装置は、図１に示すように、無端状移動手段である搬送ベルトに沿って各色の画像形成部が並べられた構成を備えるものであり、所謂タンデムタイプといわれるものである。すなわち、給紙トレイ１から給紙ローラ２と分離ローラ３とにより分離給紙される用紙（記録紙）４を搬送する搬送ベルト５に沿って、この搬送ベルト５の搬送方向の上流側から順に、複数の画像形成部（電子写真プロセス部）６ＢＫ、６Ｍ、６Ｃ、６Ｙが配列されている。
これら複数の画像形成部６ＢＫ、６Ｍ、６Ｃ、６Ｙは、形成するトナー画像の色が異なるだけで内部構成は共通である。画像形成部６ＢＫはブラックの画像を、画像形成部６Ｍはマゼンタの画像を、画像形成部６Ｃはシアンの画像を、画像形成部６Ｙはイエローの画像をそれぞれ形成する。
【００１５】
以下に、画像形成部６ＢＫについて具体的に説明するが、他の画像形成部６Ｍ、６Ｃ、６Ｙは画像形成部６ＢＫと同様であるので、その画像形成部６Ｍ、６Ｃ、６Ｙの各構成要素については、画像形成装置６ＢＫの各構成要素に付したＢＫに替えて、Ｍ、Ｃ、Ｙによって区別した符号を図に表示するにとどめ、その説明を省略する。
【００１６】
搬送ベルト５は、回転駆動される駆動ローラ７と従動ローラ８とに巻回されたエンドレスのベルトである。この駆動ローラ７は、駆動モータ（図示せず）により回転駆動させられ、この駆動モータと、駆動ローラ７と、従動ローラ８とが、無端状移動手段である搬送ベルト５を移動させる駆動手段として機能する。
【００１７】
画像形成に際して、給紙トレイ１に収納された用紙４は最も上方のものから順に送り出され、静電吸着作用により搬送ベルト５に吸着されて回転駆動される搬送ベルト５により最初の画像形成部６ＢＫに搬送され、ここで、ブラックのトナー画像を転写される。
【００１８】
画像形成部６ＢＫは、感光体としての感光体ドラム９ＢＫ、この感光体ドラム９ＢＫの周囲に配置された帯電器１０ＢＫ、露光器１１、現像器１２ＢＫ、感光体クリーナ（図示せず）、除電器１３ＢＫ等から構成されている。露光器１１は、各画像形成部６ＢＫ、６Ｍ、６Ｃ、６Ｙが形成する画像色に対応する露光ビームであるレーザ光１４ＢＫ、１４Ｍ、１４Ｃ、１４Ｙを照射するように構成されている。
【００１９】
画像形成に際し、感光体ドラム９ＢＫの外周面は、暗中にて帯電器１０ＢＫにより一様に帯電された後、露光器１１からのブラック画像に対応したレーザ光１４ＢＫにより露光され、静電潜像を形成される。現像器１２ＢＫは、この感光体ドラム９ＢＫの外周面に形成された静電潜像をブラックトナーにより可視像化し、このことにより感光体ドラム９ＢＫ上にブラックのトナー画像が形成される。
【００２０】
このトナー画像は、感光体ドラム９ＢＫと搬送ベルト５上の用紙４とが接する位置（転写位置）で、転写器１５ＢＫの働きにより用紙４上に転写される。この転写により、用紙４上にブラックのトナーによる画像が形成される。トナー画像の転写が終了した感光体ドラム９ＢＫは、外周面に残留した不要なトナーを感光体クリーナにより払拭された後、除電器１３ＢＫにより除電され、次の画像形成のために待機する。
【００２１】
以上のようにして、画像形成部６ＢＫでブラックのトナー画像を転写された用紙４は、搬送ベルト５によって次の画像形成部６Ｍに搬送される。画像形成部６Ｍでは、画像形成部６ＢＫでの画像形成プロセスと同様のプロセスにより感光体ドラム９Ｍ上にマゼンタのトナー画像が形成され、そのトナー画像が用紙４上に形成されたブラックの画像に重畳されて転写される。
用紙４は、さらに次の画像形成部６Ｃ、６Ｙに搬送され、同様の動作により、感光体ドラム９Ｃ上に形成されたシアンのトナー画像と、感光体ドラム９Ｙ上に形成されたイエローのトナー画像とが、用紙４上に重畳されて転写される。こうして、用紙４上にフルカラーの画像が形成される。このフルカラーの重ね画像が形成された用紙４は、搬送ベルト５から剥離されて定着器１６にて画像を定着された後、画像形成装置の外部に排紙される。
【００２２】
次に、図２を参照して、本発明の実施形態に係る画像形成装置の制御対象となる画像形成系として、モノクロレーザプリンタの構成について説明する。
本実施形態の画像形成装置は、図２に示すように、作像部３１、定着部３２を備えている。作像部３１には、像担持体としての感光体ドラム３３を配置している。その感光体ドラム３３の周りには、現像ローラ３４および供給ローラ３５を備えたカートリッジ３６、帯電ローラ（図示しない）、転写ローラ（図示しない）、クリーニングブレッド３７等の電子写真プロセスに必要な各機器が配置されている。
作像部３１を構成する上記各機器の上方には、光書込み装置（図示しない）が配置されている。光書込み装置（図示しない）からの走査光であるレーザ光Ｌは、帯電ローラ（図示しない）と現像ローラ３４の間から感光体ドラム３３に照射される。
【００２３】
定着部３２は、定着ローラ４０および加圧ローラ４１を備えるヒートロール方式の熱定着装置である。定着ローラ４０内にはハロゲンランプ等のヒータ４０ａが配設されている。定着ローラ４０は、一例として、直径２５〜４５ｍｍ，芯金材質がアルミ合金で肉厚０．３５〜０．６ｍｍの薄肉ローラが好適に用いられる。加圧ローラ４１は芯金周囲に弾性層を有するスポンジローラとして構成され、熱容量の小さな加圧ローラを使用している。この加圧ローラ４１を加圧機構により定着ローラ４０に圧接させ、両ローラ間に所定の定着ニップを形成する。
さらに、定着部３２には、作像部３１および定着部３２を駆動するための単一の駆動モータ４２が設けられている。駆動モータ４２の回転は、ギヤ４３を介して定着ローラ４０に、ギヤ４４を介して加圧ローラ４１に伝達される。そして、定着部３２に設けられたギヤ４４には、作像部３１に設けられたギヤ４５が歯合しており、駆動モータ４２の回転は、ギヤ４４を介してギヤ４５に、ギヤ４５を介してギヤ４６に、ギヤ４６を介して感光体ドラム３３に、ギヤ４６を介してギヤ４７に、ギヤ４７を介して現像ローラ３４および供給ローラ３５に伝達される。
【００２４】
ここで、上記のように構成されたモノクロレーザプリンタにおける画像形成動作について簡単に説明する。
画像形成動作が開始されると、定着部３２に設けられた駆動モータ４２が回転し、ギヤ４４、ギヤ４５、ギヤ４６を連動して回転させ、感光体ドラム３３が回転駆動され、その感光体ドラム３３の表面が帯電ローラ（図示しない）によって所定の極性に一様に帯電される。光書込み装置（図示しない）においては、パソコン等のホストマシーンより送られた画像データに基づいてレーザダイオードＬＤが駆動され、書込み光としてのレーザ光Ｌを感光体ドラム３３上に照射する。これにより感光体ドラム３３に静電潜像が形成される。その静電潜像に現像ローラ３４からトナーが付与され、トナー像として可視化される。
【００２５】
一方、給紙カセット（図示しない）からは記録材が給紙ローラ（図示しない）により給送される。感光体ドラム３３と転写ローラ（図示しない）とが対向する転写ニップ（図示しない）にて上記トナー像が用紙上に転写される。トナー像が転写された記録材は、定着部３２を通過する時に、熱と圧力とによりトナー像が記録材上に定着される。
【００２６】
次に、上記のように構成されたモノクロレーザプリンタにおけるウォームアップ時の動作について簡単に説明する。
ウォームアップ時、定着部３２の定着ローラ４０内にあるヒータ４０ａを点灯させ定着ローラ４０を加熱し、またその熱を加圧ローラ４１にまんべんなく伝えるため、駆動モータ４２を動作させてギヤ４３を介して定着ローラ４０を、ギヤ４４を介して加圧ローラを回転させる。
この際に、図２に示すような１つの駆動モータ４２を用いて全ての機構部の駆動を行う画像形成装置の場合、同時に作像部３１へもギヤ４４を介して回転が伝達されてしまう。この際、カートリッジ３６から一定量のトナーが現像ローラ３４、感光体ドラム３３へと付着してしまう。感光体ドラム３３に付着したトナーは最終的にクリーニングブレード３７によって回収されるので、画像への影響は出ないが、トナーを無駄に消費することにより印字可能枚数が減ることとなる。
【００２７】
＜第１実施形態＞
本発明の第１実施形態に係わる画像形成装置の制御系は、少なくとも図１または図２に示す画像形成装置の画像形成系を対象とし、トナーの無駄な消費は回避できないものとし、ユーザがスリープモード移行時間を設定する際に、スリープモード移行時間に相当するトナーの無駄な消費量を液晶表示部  に表示しておき、スリープモード移行時間をユーザに選択させるものである。
【００２８】
次に、図３に示すブロック図を参照して、本発明の実施の形態に係る画像形成装置の制御系に関するブロック構成について説明する。
本実施形態の画像形成装置の制御系には、図３に示すうに、制御部７１、データ記憶部７２、オペレーションパネル部７３を備え、オペレーションパネル部７３には操作部７４、液晶表示部７５が設けられている。
【００２９】
制御部７１は、ＣＰＵ、ＲＯＭ、ＲＡＭを有し、ＣＰＵがＲＯＭに記憶されている制御プログラムを読み出して画像形成装置の全体を制御する。
データ記憶部７２は、過去１日の統計データとして、待機時からのジョブ数、スリープモード時からのジョブ数、ジョブ当たりの平均印字枚数、１枚印字当たりの平均使用トナー消費量、プリンタ電源ＯＮ回数、スリープモード時からジョブを行う際の、前回のジョブからの間隔（時間）の分布、等を記憶する。また、データ記憶部７２は、ウォームアップ１回当たりのトナー消費量を予め固定値として記憶する。
オペレーションパネル部７３は、ユーザが操作し易い位置に設けられている。
操作部７４は、モード設定キー、決定キー、インクリメントキー等を有し、例えば、スリープモードへの移行時間Ｔｓを１分から１５分まで１分単位で段階的に設定可能にする。
液晶表示部７５は、スリープモードへの移行時間Ｔｓを１分から１５分まで１分単位で段階的に表示するとともに、トナー消費量１日当たりの枚分、または、トナー消費量１日当たりのグラム数（ｇ）を表示する。
具体的には、表示例７５ａのように、スリープモード移行時間設定として１５分、トナー消費量として１日当たり１５ｇという値が液晶表示部７５に表示される。図３（ｂ）は別の表示例であり、スリープモード移行時間設定として１分、トナー消費量として１日当たり３０ｇという値が表示される。図３（ｃ）は他の表示例であり、スリープモード移行時間設定として１分、トナー消費量として１日当たり５枚分という値が表示される。
【００３０】
次に、図４に示すフローチャートを参照して、本発明の実施の形態に係る画像形成装置の特徴的な動作について説明する。なお、図４に示すフローチャートは制御部７１に設けられたＲＯＭに制御プログラムとして記憶されている。
ユーザが画像形成装置の電源スイッチをＯＮすると、ステップＳ１０では、制御部７１はオペレーションパネル７３に設けられた液晶表示部７５に例えば「モード設定を行いますか」、「モード設定を行うときには、モード設定キーを押して下さい。」というテキストを表示する。
ここで、ユーザが操作部７４に設けられているモード設定キーを押したこととする。
次いで、ステップＳ１５では、制御部７１は操作部７４に設けられているモード設定キーからＯＮ信号を検出したか否かを判断する。モード設定キーからＯＮ信号を検出した場合にはステップＳ２０に進む。
【００３１】
次いで、ステップＳ２０では、制御部７１は液晶表示部７５に例えば「スリープモード移行時間の設定を行うときには、決定キーを押して下さい。」というテキストを表示する。
ここで、ユーザが操作部７４に設けられている決定キーを押したこととする。
次いで、ステップＳ２５では、制御部７１は操作部７４に設けられている決定キーからＯＮ信号を検出したか否かを判断する。決定キーからＯＮ信号を検出した場合にはステップＳ３０に進む。
次いで、ステップＳ３０では、制御部７１はスリープモード移行時間の設定処理ルーチンに移行する。
【００３２】
次に、図４に示すスリープモード移行時間の設定処理に関するサブルーチンについて説明する。
まず、制御部７１により実行されるトナー消費量の計算の方法について説明する。
過去１日の統計データとして、待機時からのジョブ数、スリープモード時からのジョブ数、ジョブ当たりの平均印字枚数、１枚印字当たりの平均使用トナー消費量、プリンタ電源ＯＮ回数、スリープモード時からジョブを行う際の、前回のジョブからの間隔（時間）の分布、等についてのデータを制御部７１がデータ記憶部７２に保持しておく。
【００３３】
なお、ウォームアップ１回当たりのトナー消費量は、ウォームアップ時間内の感光体の回転回数に比例するので、ウォームアップタイムを毎回一定時間と仮定して使用するため、予め固定値データとしてプリンタのデータ記憶部７２に保持しておく。
【００３４】
この場合、制御部７１は、総使用トナー消費量について、（１）式により計算する。
総使用トナー消費量＝
（待機時からのジョブ数×平均印字枚数×１枚印字当たりの平均使用トナー消費量）
＋（スリープ時からのジョブ数×平均印字枚数×１枚印字当たりの平均使用トナー消費量）
＋（スリープ時からのジョブ数×ウォームアップ１回当たりのトナー消費量）
＋（プリンタ電源ＯＮ回数×ウォームアップ１回当たりのトナー消費量）      ・・・（１）
【００３５】
さらに正確に記録するためには、ウォームアップ１回当たりのトナー消費量は、正確には定着器の温度に依存するため、制御部７１が当該制御部の回路基板上に設けられた温度センサから温度を検出しておき、ウォームアップ時の温度データをデータ記憶部７２に記録して保持して、例えばその平均値の際のトナー消費量を計算に使用しても良い。これにより、ウォームアップ１回当たりのトナー消費量の基本単位を温度補正して、無駄に消費される消費量をより精度良くユーザに通知することができる。
なお、本実施形態では、過去１日の統計データとして、待機時からのジョブ数、スリープモード時からのジョブ数、ジョブ当たりの平均印字枚数、１枚印字当たりの平均使用トナー消費量、プリンタ電源ＯＮ回数、スリープモード時からジョブを行う際の、前回のジョブからの間隔（時間）の分布、等についてのデータを制御部７１がデータ記憶部７２に保持しておくことにしているが、過去１日の統計データに加えて、より長いスパンとして例えば、過去１週間、過去１ヶ月の統計データでも良い。
【００３６】
仮に、スリープモードへの移行時間Ｔｓは、操作部７４に設けられたインクリメントキーにより１分から１５分まで設定可能とする。
そして、データ記憶部７２にデータテーブルとして記録して保持している“スリープモード時からジョブを行う際の、前回のジョブから今回のジョブまでの間隔（時間）の分布”を以下の通りの、間隔−頻度データテーブルから参照して、スリープ時からのジョブ数を求めることが可能となる。
＜時間＞：  ＜ジョブ数＞
１分：    ２０回
２分：    ２５回
３分：    ２５回
４分：    ２０回
５分：    １９回
６分：    １５回
７分：    １３回
８分：    １２回
９分：    １０回
１０分：    ９回
１１分：    ３回
１２分：    ２回
１３分：    １回
１４分：    ０回
１５分以上  ５回
上記データテーブルに示すように、スリープ状態へ入るまでの時間を短くすれば、印刷指示時にスリープモードに入っている可能性が高くなり、ウォームアップを行う回数も相対的に増えることが理解できる。
【００３７】
まず、ステップＳ５０では、操作部７４には、インクリメントキーを有しており、制御部７１は操作部７４から入力されるインクリメントキーの降下回数を検出して、ユーザによりインクリメントキーが押した所望の回数により、スリープモードへの移行時間Ｔｓを１分から１５分まで１分単位で段階的に設定する。
次いで、ステップＳ５５では、制御部７１は、このようにして検出されたスリープモードへの移行時間をキーとして、データ記憶部７２に記憶されている上記データテーブルから頻度（回数）、すなわち、スリープ時からのジョブ数を求める。
【００３８】
次いで、ステップＳ６０では、制御部７１は、ステップＳ５５で求めたスリープ時からのジョブ数、データ記憶部７２に記憶されている上記データテーブルからウォームアップ１回当たりのトナー消費量、プリンタ電源ＯＮ回数、ウォームアップ１回当たりのトナー消費量を参照しておき、無駄に消費されるトナー消費量について、（２）式により計算する。
無駄に消費されるトナー消費量＝
（スリープ時からのジョブ数×ウォームアップ１回当たりのトナー消費量）
＋（プリンタ電源ＯＮ回数×ウォームアップ１回当たりのトナー消費量）      ・・・（２）
このトナー消費量に基づいて、制御部７１は、スリープモード移行時間毎の無駄なトナー消費量を推定する。
【００３９】
次いで、ステップＳ６０では、制御部７１は、上記のようにして計算したトナー消費量を、スリープモード移行時間の設定時に、時間と共にオペレーションパネル部の液晶表示部７５に表示する。
そして、制御部７１は、計算結果となる推定印字枚数を液晶表示部７５に表示する。この結果、図３（ａ）に示すように、例えば、スリープモード移行時間設定として１５分、トナー消費量として１日当たり１５ｇと液晶表示部７５に表示される。また、この結果、図３（ｂ）に示すように、例えば、スリープモード移行時間設定として１分、トナー消費量として１日当たり３０ｇと液晶表示部７５に表示される。
このように液晶表示部７５に表示されるので、スリープモードに移行するまでの移行時間に応じた、ウォームアップ毎にトナーが無駄に消費される消費量をユーザに通知することができる。
【００４０】
＜第２実施形態＞
本発明の第２実施形態に係わる画像形成装置の制御系は、第１実施形態と同様、少なくとも図１または図２に示す画像形成装置の画像形成系を対象とし、図３に示す制御系のブロック構成を有する。
第１実施形態では、無駄に消費されるトナー消費量の推定値について（２）式により計算したが、第２実施形態では下記（３）式により計算することとする。
制御部７１は、上記仮定での各スリープモードへの移行時間Ｔｓに対応する、無駄に消費されるトナー消費量の推定値については、（３）式により計算する。
無駄に消費されるトナー消費量の推定値＝
（設定されたスリープ時までの時間移行に行われたジョブ数の積算×ウォームアップ１回当たりのトナー消費量）
＋（プリンタ電源ＯＮ回数×ウォームアップ１回当たりのトナー消費量）      ・・・（３）
【００４１】
このトナー消費量を、スリープモード移行時間の設定時に、時間と共にオペレーションパネル部の液晶表示部７５に表示する。このように液晶表示部７５に表示されるので、スリープモードに移行するまでの移行時間に応じた、ウォームアップ毎にトナーが無駄に消費される消費量をユーザに通知することができる。
【００４２】
＜第３実施形態＞
本発明の第３実施形態に係わる画像形成装置の制御系は、第１実施形態と同様、少なくとも図１または図２に示す画像形成装置の画像形成系を対象とし、図３に示す制御系のブロック構成を有する。
第１実施形態では、無駄に消費されるトナー消費量の推定値について（２）式により計算したが、第２実施形態では下記（４）式により計算することとする。
制御部７１は、例えば、１０分に設定すると１日当たりのトナー消費量については、（４）式により計算する。
１日当たりのトナー消費量＝
（（３＋２＋１＋０＋５）×ウォームアップ１回当たりのトナー消費量）
＋（プリンタ電源ＯＮ回数×ウォームアップ１回当たりのトナー消費量）      ・・・（４）
【００４３】
このトナー消費量を、スリープモード移行時間の設定時に、時間と共にオペレーションパネル部の液晶表示部７５に表示する。このように液晶表示部７５に表示されるので、スリープモードに移行するまでの移行時間に応じた、ウォームアップ毎にトナーが無駄に消費される消費量をユーザに通知することができる。
【００４４】
＜第４実施形態＞
本発明の第４実施形態に係わる画像形成装置の制御系は、第１実施形態と同様、少なくとも図１または図２に示す画像形成装置の画像形成系を対象とし、図３に示す制御系のブロック構成を有する。
第１実施形態では、無駄に消費されるトナー消費量の推定値について（２）式により計算したが、第４実施形態では下記（５）式により計算することとする。
制御部７１は、１枚当たりのトナー消費量をデータ記憶部７２に記憶している場合の推定印字枚数については、（５）式により計算する。
推定印字枚数＝トナー消費量÷１枚当たりのトナー消費量                ・・・（５）
そして、制御部７１は、計算結果となる推定印字枚数を液晶表示部７５に表示する。この結果、図３（ｃ）に示すように、スリープモード移行時間設定として１分、トナー消費量として１日当たり５枚分と液晶表示部７５に表示される。
このように液晶表示部７５に表示されるので、スリープモードに移行するまでの移行時間に応じた、ウォームアップ毎にトナーが無駄に消費される消費量から印字することができた推定枚数に変換して表示することができる。
【００４５】
本実施形態に係る画像形成装置においては、ウォームアップ時に定着部と作像部とが同時に回転する画像形成装置において、一定期間の印字情報とウォームアップ１回当たりのトナー消費量とを記憶しておき、操作に応じて入力されるスリープモードに移行するまでの移行時間を取得し、取得されるスリープモードに移行するまでの移行時間、前記印字情報とトナー消費量とから導き出される、移行時間に対応する無駄に消費されるトナー消費量を算出し、スリープモードに移行するまでの移行時間と、移行時間に対応する無駄に消費されるトナー消費量とを通知することで、スリープモードに移行するまでの移行時間に応じた、ウォームアップ毎にトナーが無駄に消費される消費量をユーザに通知することができる。
【００４６】
本実施形態に係る画像形成装置においては、無駄に消費されるトナー消費量を、記憶された印字情報から、そのトナー消費量から印字することができた推定枚数として表示することで、無駄に消費されるトナー消費量から印字することができた推定枚数に変換して表示することができる。
【００４７】
本実施形態に係る画像形成装置においては、前記記憶される印字情報は、待機時からのジョブ数、スリープモード時からのジョブ数、ジョブ当たりの平均印字枚数、１枚印字当たりの平均使用トナー消費量、プリンタ電源ＯＮ回数、スリープモード時からジョブを行う際の、前回のジョブからの間隔（時間）の分布、の少なくとも１つであるので、当該画像形成装置のユーザに応じた印字情報をもちいて、ウォームアップ毎にトナーが無駄に消費される消費量をユーザに通知することができる。
【００４８】
本実施形態に係る画像形成装置においては、ウォームアップ１回当たりのトナー消費量を、あらかじめ固定値として記憶することで、ウォームアップ１回当たりのトナー消費量を基本単位として無駄に消費される消費量をユーザに通知することができる。
【００４９】
本実施形態に係る画像形成装置においては、ウォームアップ時毎の温度を記憶しておき、ウォームアップ時毎の複数の温度の平均温度からウォームアップ１回当たりのトナー消費量を導き出すことで、ウォームアップ１回当たりのトナー消費量の基本単位を温度補正して、無駄に消費される消費量をより精度良くユーザに通知することができる。
【００５０】
本実施形態に係る画像形成装置においては、無駄に消費されるトナー消費量は、（設定されたスリープ時までの時間移行に行われたジョブ数の積算×ウォームアップ１回当たりのトナー消費量）＋（プリンタ電源ＯＮ回数×ウォームアップ１回当たりのトナー消費量）により算出することで、スリープモードに移行するまでの移行時間に応じた、無駄に消費される消費量をより精度良くユーザに通知することができる。
【産業上の利用可能性】
【００５１】
本発明は、電子写真プリンタ、複写機、ファクシミリに利用できる。
【符号の説明】
【００５２】
６    画像形成部
１６    定着器
３１    作像部
３２    定着部
７１    制御部
７２    データ記憶部
７３    オペレーションパネル部
７４    操作部
７５    液晶表示部
【先行技術文献】
【特許文献】
【００５３】
【特許文献１】特開２０１０−６４３１５号公報
【図１】
2012088625.tif 000003
【図２】
2012088625.tif 000004
【図３】
2012088625.tif 000005
【図４】
2012088625.tif 000006
【図５】
2012088625.tif 000007